(57)【特許請求の範囲】
【請求項１】
グリップを兼ねるケース（１）と、ケース（１）の上端に配置されて、まつ毛を上下に挟み保持するカーリングヘッド（２）とを備えており、
カーリングヘッド（２）が、ケース（１）に固定支持してある基枠（３）と、ケース（１）で往復動自在に案内支持されて、基枠（３）に対して接離操作される押圧具（４）とを含み、
鏡と向き合う状態で基枠（３）と押圧具（４）との間にまつ毛を位置させ、押圧具（４）を基枠（３）に接近スライドさせ、これら押圧具（４）と基枠（３）とでまつ毛を挟持してくせ付けするまつ毛カーラーであって、
ケース（１）ないしカーリングヘッド（２）に、カーリングヘッド（２）を照らす照明具（３０）が設けられており、
照明具（３０）からの照射光路（Ｒ）が、ケース（１）ないしカーリングヘッド（２）の前記鏡の側の表面に沿うように、照明具（３０）が配置されていることを特徴とするまつ毛カーラー。
【請求項２】
ケース（１）側に、基枠（３）の前記鏡の側の表面を照らす照明具（３０）が配置してある請求項１記載のまつ毛カーラー。
【請求項３】
カーリングヘッド（２）の基枠（３）が、透明ないし半透明の透光材で形成してある請求項１または２記載のまつ毛カーラー。
【請求項４】
基枠（３）と押圧具（４）との少なくともいずれか一方に、くせ付け促進用のヒーター（５）が配置されており、
照明具（３０）が、ヒーター（５）の適温表示用の表示灯（３５）を兼ねている請求項１乃至３のいずれかに記載のまつ毛カーラー。
【請求項５】
ヒーター（５）が、適温状態にあることを表示する表示灯（３５）と、ヒーター（５）の温度状態を検知する温度センサー（６）と、ヒーター（５）への通電状態をオン・オフする電源スイッチ（２８）と、ヒーター（５）および表示灯（３５）の作動状態を制御する制御回路（３４）とを備えており、
制御回路（３４）は、電源スイッチ（２８）がオフ操作されてヒーター（５）への通電が停止された後、所定時間が経過した時点で表示灯（３５）を消灯させるように構成してある請求項１乃至４のいずれかに記載のまつ毛カーラー。
【請求項６】
制御回路（３４）は、電源スイッチ（２８）がオン操作され、かつヒーター温度が適値に達したときの温度センサー（６）からの出力信号を受けて表示灯（３５）を点灯させ、電源スイッチ（２８）がオフ操作された後、一定時間が経過したときのタイマー（３６）の時計信号を受けて表示灯（３５）を消灯させるように構成してある請求項５記載のまつ毛カーラー。
【請求項７】
制御回路（３４）は、電源スイッチ（２８）がオン操作され、かつヒーター温度が適値に達したときの温度センサー（６）からの出力信号を受けて表示灯（３５）を点灯させ、電源スイッチ（２８）がオフ操作された後、ヒーター温度が所定温度以下に降下したときの温度センサー（６）からの出力信号を受けて表示灯（３５）を消灯するように構成してある請求項５記載のまつ毛カーラー。
【請求項８】
制御回路（３４）は、電源スイッチ（２８）がオン操作された後、一定時間が経過したときのタイマー（３６）からの時計信号を受けて表示灯（３５）を点灯させ、電源スイッチ（２８）がオフ操作された後、一定時間が経過したときのタイマー（３６）の時計信号を受けて表示灯（３５）を消灯させるように構成してある請求項５記載のまつ毛カーラー。
【請求項９】
押圧具（４）の往復動の移動方向が、ケース（１）の中心軸線に対して前記鏡の側へ向かって傾斜している請求項１乃至５のいずれかに記載のまつ毛カーラー。
【請求項１０】
照明具（３０）が、ケース（１）の上部に開口した投光口（３１）に臨んで配置され、その照射光路（Ｒ）が基枠（３）の幅方向のほぼ中央に指向させてある請求項１乃至５または９のいずれかに記載のまつ毛カーラー。
【請求項１１】
照明具（３０）に照射光の散乱を防ぐ遮光キャップ（３２）が装着してある請求項３乃至５または９、１０のいずれかに記載のまつ毛カーラー。  
【発明の詳細な説明】
【０００１】
【発明の属する技術分野】
この発明は、照明具を備えたまつ毛カーラーに関する。
【０００２】
【従来の技術】
従来のまつ毛カーラーに特許第２９１６３６７号公報がある。実開平３−１１１２０３号公報には、くせ付け促進用のヒータを備えているまつ毛カーラーが開示されている。そこでは、グリップの両側面に一対の発光ダイオードが配置してあり、その一方は電源がオン状態であることを表示し、他方はヒーター温度が適温であることを表示する。
【０００３】
【発明が解決しようとする課題】
まつ毛のくせ付けを行う際には、くせ付け対象でない側の眼で鏡を覗き込んで、カーリングヘッドによるまつ毛の挟持状態を確認しながら作業を行う。従って、鏡あるいは鏡が設置された周辺の照明状態が良ければ、まつ毛のカーリングは問題なく行える。しかし、照明が不十分なままでくせ付けを行うと、カールすべき位置やその形状等を十分に視認できないため、まつ毛の仕上がり状態が使用者の予測していた形状と大きく異なることがある。外出先でまつ毛カーラーを使用する場合には、照明条件が不十分な状況下で手鏡を覗き込みながら作業を行わねばならないことも多い。
【０００４】
この発明の目的は、カーリングヘッドを照らすための照明具を備えていて、鏡やその周辺部の照明条件が不十分な状況においても、まつ毛のくせ付け作業を確実にしかも速やかに行えるまつ毛カーラーを提供することにある。この発明の目的は、照明具からの照射光が使用者の眼に直接入るのを防止でき、従ってカーリングヘッドによるまつ毛の挟持状態を細部にわたって明確に視認でき、使い勝手のよいまつ毛カーラーを提供することにある。この発明の目的は、くせ付け促進用のヒーターを備えていて、まつ毛のカーリング作業が短時間で行え、まつ毛にダメージを与えることもなく、カール状態を長時間持続できるまつ毛カーラーを提供することにある。この発明の目的は、照明具がヒーターの温度状態の適否を表示する表示灯を兼ねていて、表示灯を省略できる分だけ製造コストが節約できるまつ毛カーラーを提供することにある。
【０００５】
【課題を解決するための手段】
この発明のまつ毛カーラーは、グリップを兼ねるケース１と、ケース１の上端に配置されて、まつ毛を上下に挟み保持するカーリングヘッド２とを備えており、カーリングヘッド２が、ケース１に固定支持してある基枠３と、ケース１で往復動自在に案内支持されて、基枠３に対して接離操作される押圧具４とを含み、鏡と向き合う状態で基枠３と押圧具４との間にまつ毛を位置させ、押圧具４を基枠３に接近スライドさせ、これら押圧具４と基枠３とでまつ毛を挟持してくせ付けするまつ毛カーラーであって、ケース１ないしカーリングヘッド２に、カーリングヘッド２を照らす照明具３０が設けられており、照明具３０からの照射光路Ｒが、ケース１ないしカーリングヘッド２の前記鏡の側の表面に沿うように、照明具３０が配置されていることを特徴とする。ケース１側に、基枠３の前記鏡の側の表面を照らす照明具３０が配置してある。
【０００６】
カーリングヘッド２の基枠３が、透明ないし半透明の透光材で形成してある。
【０００７】
基枠３と押圧具４との少なくともいずれか一方には、くせ付け促進用のヒーター５を配置し、照明具３０がヒーター５の適温表示用の表示灯３５を兼ねるものとする。
【０００８】
まつ毛カーラーは、ヒーター５が適温状態にあることを表示する表示灯３５と、ヒーター５の温度状態を検知する温度センサー６と、ヒーター５への通電状態をオン・オフする電源スイッチ２８と、ヒーター５および表示灯３５の作動状態を制御する制御回路３４とを備えている。その制御回路３４は、電源スイッチ２８がオフ操作されてヒーター５への通電が停止された後、所定時間を経過した時点で表示灯３５を消灯させるように構成する。
【０００９】
制御回路３４は、電源スイッチ２８がオン操作され、かつヒーター温度が適値に達したときの温度センサー６からの出力信号を受けて表示灯３５を点灯させ、電源スイッチ２８がオフ操作された後、一定時間が経過したときのタイマー３６の時計信号を受けて表示灯３５を消灯させるように構成する。
【００１０】
別の制御回路３４は、電源スイッチ２８がオン操作され、かつヒーター温度が適値に達したときの温度センサー６からの出力信号を受けて表示灯３５を点灯させ、電源スイッチ２８がオフ操作された後、ヒーター温度が所定温度以下に降下したときの温度センサー６からの出力信号を受けて表示灯３５を消灯するように構成する。
【００１１】
さらに別の制御回路３４は、電源スイッチ２８がオン操作された後、一定時間が経過したときのタイマー３６からの時計信号を受けて表示灯３５を点灯させ、電源スイッチ２８がオフ操作された後、一定時間が経過したときのタイマー３６の時計信号を受けて表示灯３５を消灯させるように構成する。
【００１２】
押圧具４の往復動の移動方向が、ケース１の中心軸線に対して前記鏡の側へ向かって傾斜している。
【００１３】
照明具３０が、ケース１の上部に開口した投光口３１に臨んで配置され、その照射光路Ｒが基枠３の幅方向のほぼ中央に指向させてある。
【００１４】
照明具３０に照射光の散乱を防ぐ遮光キャップ３２が装着してある。
【００１６】
【発明の作用効果】
ケース１ないしカーリングヘッド２に照明具３０を設け、照明具３０からの照射光でカーリングヘッド２を照明するので、鏡やその周辺部の照明条件が不十分な状況下でも、まつ毛のくせ付け作業を使用者の意図した通りに確実にしかも速やかに行える。まつ毛カーラー自体が照明具３０を備えているから外出先でも、まつ毛のくせ付け作業が手軽にしかも支障なく行える。
【００１７】
まつ毛のくせ付けは、対象となる側の眼を開いた状態で行う。そのため、照明具３０による照明の仕方が不適切であると、片方または両方の目に照明光や鏡からの反射光が直接入り、使用者は単にまぶしいだけで、肝心なカーリングヘッド２によるまつ毛の挟持状況を明確に視認しにくい。この点、照射光路Ｒをケース１の鏡側表面に沿って配置すると、照明光が鏡の側や使用者の目元に直接入るのを防止できる。従って、使用者は照明光によるまぶしさや見えにくさを感じることもなく、より容易にまつ毛のくせ付け作業を行える。
【００１８】
照明具３０はカーリングヘッド２の近辺を照らすように設けることで所期の目的を達成できる。しかし、最終的にまつ毛を受け止めるための基枠３の鏡側表面を照明具３０で照らすと、まつ毛と基枠３との位置関係や挟持後のまつ毛の状態をさらに明確に見ることができ、まつ毛のくせ付けを使用者の意図通りに的確に行える。ケース１側に照明具３０を設けてあると、照明具３０をケース１内に埋設する状態で配置でき、例えば基枠３や押圧具４に照明具３０を設ける場合に比べて、まつ毛カーラーの外観を簡素ですっきりとした印象にまとめることができる。
【００１９】
基枠３が透明ないし半透明の透光材で形成されていると、基枠３に照射した照明光の一部を基枠３の顔側表面へ透過させることができるので、使用者は基枠３が明るく光っているのを確認するだけで、電源スイッチ２８が投入されているのを知ることができる。つまり、照明具３０を電源ランプ（パイロットランプ）として活用する場合に都合がよい。照明具３０がヒーター５の温度表示用の表示灯３５を兼ねている場合には、基枠３の状態を見るだけでヒーター５が適温であるか否かを判断できる。
【００２０】
例えば、押圧具４にヒーター５を配置したまつ毛カーラーによれば、押圧具４と基枠３との挟持作用に加えて、ヒーター５の熱によってまつ毛を加熱し変形を促進できるので、まつ毛のくせ付け作業を迅速に行える。単に基枠３と押圧具４とでくせ付けした場合に比べて、くせ付け効果をより長い時間持続させ、まつ毛のカール状態を長持ちさせることができる。
【００２１】
電源スイッチ２８がオン操作された後、ヒーター５が適温に達した時点で表示灯３５を点灯させるまつ毛カーラーによれば、表示灯３５が点灯しているか否かを確認するだけで、ヒーター５の温度状態の適否を判定できる。適温に達した後のヒーター５の温度は、温度センサー６からの出力信号に基づいて一定の温度範囲を維持できるよう制御される。電源スイッチ２８をオフ操作した時点のヒーター温度は適温状態にあって、肌や指先が加熱部分に触れると火傷を負うおそれがある。そこで、電源スイッチ２８がオフ操作された後、加熱部分が冷えるのを待つ一定時間だけ表示灯３５を継続して点灯させ、加熱部分に触れると危険である旨の警告表示を行い、使用時の安全性を確保している。
【００２２】
押圧具４の往復動の移動方向が、ケース１の中心軸線に対して前記鏡の側へ向かって傾斜するまつ毛カーラーによれば、ケース１に配置した照明具３０の照射光路Ｒをカーリングヘッド２に対して容易に交差配置でき、とくにカーリングヘッド２の先端の基枠３を集中的に照らすのに好適である。挟持平面に臨むく字形の凹み空間に臨んで照明具３０を配置しておけば、まつ毛カーラーが床面へ落下するような場合にも、照明具３０が床面に衝突し破損するのを防止でき、また、押圧具４、および押圧具４を接離操作する機構と照明具３０とが近接配置されても、照射光路Ｒが押圧具４の動きによって遮られるのを防止できる。
【００２３】
照射光路Ｒを基枠３の幅方向のほぼ中央に指向させる照明形態によれば、まつ毛の中央部を集中的に明るく照らして、基枠３と押圧具４によるまつ毛の挟持状況の推移を終始明確に視認できる。照明具３０に装着した遮光キャップ３２は、不必要な光の散乱を防いで、散乱光によるまぶしさを防ぐのに役立つ。同時に、照射光の拡がりを抑止することにも役立つ。
【００２４】
【実施例】
図１ないし図７はこの発明に係るまつ毛カーラーの実施例を示す。まつ毛カーラーは、グリップを兼ねる縦長筒状のケース１を有し、その上端にまつ毛を上下に挟み保持してくせ付けするためのカーリングヘッド２を有する。図１においてカーリングヘッド２は、ケース１に固定される基枠３と、基枠３に対して接離自在にスライドする押圧具４とからなり、押圧具４の内部にくせ付け促進用のヒーター５と、ヒーター５の温度状態を検出するサーミスター（温度センサー）６とが配置してある。
【００２５】
図４においてケース１の内部は、下半側の電池室と、上半側の機構部室とに大別でき、電池室の内部に２個の電池８を収容し、機構部室の内部に押圧具４を接離操作する操作機構を収容している。ケース１は、蓋合わせ状に接合される前ケース１ａと後ケース１ｂ、および両ケース１ａ・１ｂの下半外面にケース下方側から外嵌される筒ケース１０と、筒ケース１０に下側から外嵌される透明の化粧ケース１１とで構成する。図示していないが、筒ケース１０と化粧ケース１１との間には装飾シートが介装してある。筒ケース１０と化粧ケース１１とを同時に抜き外すと、前ケース１ａの下端に切り欠いた出入口１２が露出するので、この出入口１２から電池８を出し入れできる。
【００２６】
操作機構は、操作ボタン１５と、操作ボタン１５の出没動作に連動して前後揺動する受動アーム１６と、受動アーム１６の動きを押圧具４に伝えるリンク１７と、受動アーム１６を操作ボタン１５へ向かって押し付け付勢するリターンばね１８などで構成する。操作ボタン１５は、後ケース１ｂの内面に固定したガイドピン１９で出没スライドのみ自在に案内支持され、先のリターンばね１８のばね力を受けて、前ケース１ａから突出する向きに進出付勢されている。
【００２７】
受動アーム１６は側面視がＶ字状の屈折アームからなり、その一方の遊端を前ケース１ａにピン２０を介して揺動自在に軸支し、他方の遊端を操作ボタン１５の内端面に当て付ける。リンク１７と受動アーム１６とは、アームの屈折端においてピン２１で連結する。リンク１７と押圧具４とは一体成形されたヒンジ部２２を介して連続している。
【００２８】
基枠３は、ケース１の鏡側表面の上端に被さるベース部２３と、ベース部２３の左右両側から立設される一対の腕部２４と、両腕部２４の突端どうしを繋ぐくせ付け部２５とを一体に成形した透明なプラスチック成形品からなる。くせ付け部２５は断面くさび状に形成してあり、全体がケース後面へ向かって外凸状に湾曲し、しかも上まぶたのまつ毛に沿って上凸状に湾曲するように形成してある。押圧具４は、前後ケース１ａ・１ｂで往復スライドのみ自在に案内支持し、その上部に先のくせ付け部２５と接離する押圧体２６を配置してなる。基枠３と押圧具４との挟持平面、すなわち図６に示すように押圧具４が接離スライドするときのスライド平面は、ケース１の筒中心軸線に対してケース後面（鏡側表面）へ向かって後傾している。押圧体２６は上端に断面Ｖ字状の溝２７を形成した耐熱ゴム製の成形品からなり、くせ付け部２５の下端の刃部が溝２７の溝底に当たってまつ毛を逆へ字状にくせ付けする。押圧体２６の内部にはヒーター５を配置し、押圧体２６の下面中央にサーミスター６を配置する。図３においてケース１の上部一側には、電源スイッチ２８が設けてあり、この電源スイッチ２８を上方スライドしてオン操作することによりヒーター５に通電できる。基枠３の腕部２４は１つであってもよく、すなわち基枠３は、くせ付け部２５を片持ち支持するタイプであってもよい。
【００２９】
照明が不十分な状況下においても、まつ毛のくせ付けを確実に行うために、ケース１側にカーリングヘッド２を照らすための照明具３０を設ける。照明具３０は発光ダイオードからなり、基枠３のベース部２３の左右中央に開口した投光口３１に臨んで配置し固定する。発光部の外面には、照射光の散乱を防ぐ遮光キャップ３２を外嵌状に装着する。このように、照明具３０をケース１の前面上部に設けることにより、照明具３０から放射される照射光路Ｒをケース１の鏡側表面に沿って配置し、基枠３のくせ付け部２５の左右幅方向の中央付近を集中的に照らすことができる（図５参照）。
【００３０】
先に述べた通り、押圧具４の押圧体２６の内部にはくせ付け促進用のヒーター５を設けるが、ヒーター５の発熱温度を適温状態に維持するために、図７に示すように制御回路３４を設け、さらにヒーター５が適温であることを表示するための表示灯３５を設けてある。この実施例においては、先の照明具３０が表示灯３５を兼ねる。図８において制御回路３４は、電源スイッチ２８のオン操作と同時にヒーター５への通電を開始する。この後、約１０秒程度でヒーター５の温度が適温（７０℃前後）になると、サーミスター（負特性）６の抵抗値が減少し、その印加電圧が増加する。この電圧変化を制御回路３４で受けて表示灯３５、すなわち照明具３０を点灯させる。以後は、ヒーター５の温度変化に伴うサーミスター６の印加電圧の変化を受けて、ヒーター５への通電を断続し、その温度を適温に維持する。
【００３１】
使用者は照明具３０の点灯を待って、まつ毛のくせ付けを行う。詳しくは、鏡と向き合う状態で基枠３と押圧具４との間にまつ毛を位置させ、操作ボタン１５を押し込んで押圧具４を基枠３に接近スライドさせ、その押圧体２６とくせ付け部２５とでまつ毛を挟持する。このとき、照明具３０から照射された光は、くせ付け部２５の中央部付近を下側から集中的に照らす。従って、くせ付け部２５とまつ毛の位置関係を明確に視認できるにもかかわらず、照明光が使用者の目や、鏡面に直接入射するのを阻止できる。つまり、使用者はまぶしさを感じることもなく、くせ付け作業を的確に行える。操作ボタン１５の押し込み力を解放すると、押圧具４はケース１内へ退入し、操作ボタン１５はケース外へ突出して待機状態へ復帰する。
【００３２】
電源スイッチ２８をオフ操作すると、図８に示すように制御回路３４はオフ信号を受けてヒーター５への通電を停止する。これにより、ヒーター５の温度は徐々に低下するが、その低下度合は緩慢でしかない。そのため、使用者の肌や指先が押圧体２６に触れると火傷を負うおそれがある。こうした事態を避けるために、制御回路３４は電源スイッチ２８のオフ信号を受けた後も照明具３０を点灯し続けて、使用者の注意を促す。また、オフ信号と同時にタイマー３６を起動させ、ヒーター温度が一定温度以下になるまでの時間を計時する。一定時間（約１０〜１５秒）が経過した時点で照明具３０への通電を停止して消灯する。
【００３３】
くせ付け部２５に当った照明光は、その殆どが反射されるが、基枠３の全体が透光材で形成してあるため、一部はくせ付け部２５内に入射して使用者の顔面と対向する側から放射される。つまり、照明具３０が点灯した時点で、くせ付け部２５はぼんやりと光り輝くことになる。従って、使用者は敢えて照明具３０が点灯していることを確認する必要もなく、単にくせ付け部２５の発光状態を見るだけで、ヒーター５が適温になっていて、いつでもくせ付けを開始できることを知ることができる。
【００３４】
以下、照明具３０の配置形態や照明形態を変更した別実施例を説明する。なお、各変形例においては、変更個所の要旨のみを説明し、上記の実施例で説明した部材等については、同一部材に同じ符号を付して説明を省略する。
【００３５】
図９に示すまつ毛カーラーにおいては、基枠３のくせ付け部２５の鏡側表面の左右に発光ダイオードを配置して、カーリングヘッド２の全体を２個の照明具３０で万遍なく照らせるようにした。この場合には、くせ付け部２５の顔側表面２５ａに梨地加工を施して、不必要な照射光が顔側表面２５ａから放射されるのを防止できるようにした。
【００３６】
図１０に示すように、照明具３０はケース１の内部に配置できる。この場合には、一対の腕部２４に沿って光ファイバー３８を配置し、照明具３０の照射光を光ファイバー３８を介してくせ付け部２５へ案内した。この場合のくせ付け部２５は、光透過性に優れた透光プラスチック材で形成するが、先のくせ付け部２５と同様に顔側表面２５ａに、光の放射を制限する梨地加工を施し、あるいは光の透過を制限する透過制限層や透過制限シートを付加する。これによって、直接光はなくなり、目にまぶしいといった不都合はなく、また美観的に優れている。
【００３７】
図１１においては、左右の腕部２４とくせ付け部２５とに沿って、門形の放射枠３９を配置し、その両端下部に配置した左右の照明具３０から放射される光を放射枠３９の配置形状に沿って放射できるようにした。
【００３８】
図１２においては、照明具３０からの放射光を反射鏡４０で反射させて、くせ付部２５を照らすようにした。反射鏡４０は、ベース部２３に装着したアーム４１に支持されて、反射鏡４０がベース部２３の上面に被さる不使用位置から、反射鏡４０がベース部２３の前方外面の使用位置へと揺動変位できる。この実施例から理解できるように、カーリングヘッド２の照明は、照明具３０による直接照明と、反射鏡４０やプリズム等の光学部品を介した間接照明のいずれであってもよい。この実施例によれば、押圧具４の挟持平面を必ずしも鏡面表面へ向かって傾け、あるいは照明具３０を挟持平面から離して配置する必要もなく、くせ付け部２５に向けて照明光を効果的に照射することができる。想像線で示すように反射鏡４０を折りたたんだ状態では、照明具３０の外面をアーム４１で覆うことができるので、まつ毛カーラーを取り落としたような場合にも、照明具３０が他物と衝突して破損するのを防止できる。なお、反射鏡４０は硬度の高い結晶化ガラスであっても、プラスチック板材の表面に金属メッキを施して形成したものであってもよい。
【００３９】
ヒーター温度が適温に達した時点で表示灯３５を点灯し、電源スイッチ２８をオフした後も、ヒーター温度が一定温度以下にまで降下するまでの間表示灯３５を点灯し続けるための手段としては、上記以外に以下の手段を採用することができる。
【００４０】
上記手段のひとつは、温度センサー６の出力信号を利用して表示灯３５の点灯および消灯を制御する。詳しくは、図７、図８に示される回路構成では、検知信号ラインが１本であり温度制御（ヒーターオン／オフのみ）のためのサーミスタ信号をもとにして照明具（表示灯）を点灯し、また消灯の遅延はタイマー回路で行っていたが、その他の実施例として、図１３、図１４に示すような温度検知部Ｄのみの信号で、照明具（表示灯）点灯の遅延及び消灯の遅延とヒーターの温度制御を行わせるようにすることができる。
【００４１】
すなわち、図１３のブロック図において、ＮＴＣサーミスターを有する温度検知ラインＥに、検知信号ラインＡ・Ｂ２本を設け、温度上昇に伴うＮＴＣサーミスター６の抵抗値減少によるアナログ電圧上昇をラインＡ、ラインＢでずらして検知するようにしている。Ｃは、ラインＡ、ラインＢの検知信号の基準電圧部であって、表示灯（照明）オン／オフ、ヒーターオン／オフのタイミングの基準である。ＧはヒーターＯＮ／ＯＦＦ回路であり、Ｆは照明具（表示灯）点灯回路である。照明具（表示灯）３０は発光ダイオード（ＬＥＤ）を使用しているが豆電球であってもよい。
【００４２】
次に動作を説明する。電源スイッチ２８をオンしヒーター５が温度上昇（サーミスタ６の抵抗値減少）を始めると、ラインＡがラインＢに比べ嵩上げされた電圧で電圧上昇をし始める。その情報（検知信号Ａ′）は逐一制御回路に送られる。そしてその検知信号Ａ′を図示しないコンパレーターで比較し基準電圧（例えば1.５Ｖ）信号Ｃ′を越えると、出力部側の照明具（表示灯）点灯回路Ｆに点灯信号Ａ″を出力し照明具（表示灯）３０が点灯する。これを見て使用者は押圧体２６がまつ毛カールに適する温度になったと認識することができる。前述したように照明具は表示灯を兼用したものであるが、照明用としては利用せず、ヒーター温度表示用の表示灯のみで利用してもよい。この場合使用者が確認しやすい位置ならばどこに表示灯を配置してもよい。
【００４３】
続けてさらにヒーターが温度上昇すれば、上記原理と同じながら遅れてラインＢの検知信号Ｂ′が基準電圧（例えば1.５Ｖ）信号Ｃ′を越え、そして出力部のヒーターＯＮ／ＯＦＦ回路にヒーターＯＮ／ＯＦＦ信号Ｂ″を出力する。これによってヒーター５の駆動はストップし温度が下がる。ヒーター５の温度が下がればそれに連れて検知信号Ｂ′も降下（サーミスター６の抵抗値増大）し、検知信号Ｂ′が基準電圧（例えば1.５Ｖ）信号Ｃ′を下まわると再びヒーター５は駆動する。この繰り返しによって、ヒーター温度はまつ毛カールに適している約７０℃のところで安定する（図１４参照）。なお強いカールを希望する顧客のために適温設定をまだ高いところに設定してもよい。この点はすべての実施例についてもいえることである。また、温度検知部Ｄに関し、上記したように検知信号Ａ′が基準電圧信号Ｃ′を越えるタイミングをヒーター温度約６０℃に設定し、検知信号Ｂ′が基準電圧信号Ｃ′を越えるタイミングをヒーター温度約７０℃に設定しているのは分圧用抵抗ＲＡ、ＲＢであって、これは任意に換えることができる。
【００４４】
また、制御回路内の表示灯制御回路（図示せず）にはヒステリシス回路ＡＡが組み込まれており、通常、照明具（表示灯）３０は、電源スイッチオフ後（ヒーター温度降下後）、温度上昇時と同じ６０℃で消灯するところを図１４に示すように、ヒーター５が６０℃に下がってもなおも点灯を続けるようにし、約５０℃（任意）で消灯するように制御している。これは、ヒーター周辺の押圧体２６に触れた場合に感じる不快感や火傷を防止するための手段である。さらに制御回路には、ラインＡもしくはラインＢの入力電圧（検知信号Ａ′、検知信号Ｂ′）がある所定電圧に達したときサーミスター６の異常と判断する安全装置を設けている。異常の場合は、この安全装置は、強制的にヒーターＯＮ／ＯＦＦ回路Ｇにオフ信号を出力しヒーター５を遮断するとともに、照明具（表示灯）３０を点滅駆動させる。図１４は、ヒーター（周辺）５の温度とそれと同期して上下するラインＡとラインＢの電圧変化をグラフ化したものであり、また図１４は、照明具（表示灯）点灯回路とヒーターＯＮ／ＯＦＦ回路のタイミングチャートも併記しているものである。なお、この実施例においても、もちろんヒーター５の近傍にサーミスター６が位置するものである。また、ＮＴＣサーミスターに換えＰＴＣサーミスターを前提とする制御であってもよい。制御回路は、コンパレーター等を組み込んだハード回路であるがマイコンであってもよい。
【００４５】
このように、ラインＡはヒーター部の温度がまつ毛カールの適温前（６０℃前後）で照明具（表示灯）３０を点灯させるために設けた照明具（表示灯）点灯用検知ラインであり、一方、ラインＢはヒーター周辺がまつ毛カールに適する７０℃前後で安定するように、つまりヒーターがまつ毛カールに悪影響を及ぼすほどの高温にならないように設けたヒーター温度調整用ラインであって、つまり、図１３、図１４における実施例では温度検知部Ｄのみの信号で、表示灯（照明）点灯の遅延および消灯の遅延とヒーターの温度制御を行わせることができたものである。その他まつ毛カーラー本体に関する構成は第１実施例と同じである。
【００４６】
先の表示灯制御手段の他のひとつは、図１５に示すように、電源スイッチ２８のオンと同時にタイマー３６を作動させ、一定時間が経過した時点で表示灯３５を点灯する点が先の各実施例と異なり、他は図７および図８で説明した制御形態と同じである。
【００４７】
上記の実施例以外に、この発明はヒーター５を備えていないまつ毛カーラーにも適用できる。その場合には、照明具３０用に１個の電池８と点滅スイッチを備えていれば足りる。照明具３０は、操作ボタン１５の押し込み動作に連動して点灯させることができる。温度センサー６としては、バイメタルや金属酸化物以外の抵抗温度計等を適用できる。基枠３はケース１と一体に成形してあってもよい。基枠３はベース２３を省いて形成することができ、その場合には、照明具３０をケース１に固定する。この発明において、ケース１で往復動自在に案内支持される押圧具４とは、基枠３の側、例えば左右一対の腕部２４で上下スライド自在に案内支持される押圧具を含むものである。押圧具４は、基枠３の側、例えば左右一対の腕部２４で上下スライド自在に案内支持することができる。また、押圧具４は横軸回りに往復揺動して、基枠３に対して接離する形態であってもよい。なお、ヒーター５の電源としては、商用電源を利用することができ、この場合にはケース１から給電用コードを導出する。
【図面の簡単な説明】
【図１】まつ毛カーラーの上半部の縦断側面図である。
【図２】まつ毛カーラーの全体の斜視図である。
【図３】まつ毛カーラーのカーリングヘッド部の斜視図である。
【図４】まつ毛カーラーの縦断側面図である。
【図５】カーリングヘッドの正面図である。
【図６】使用者とまつ毛カーラーと鏡の位置関係を示す説明図である。
【図７】まつ毛カーラーの電装部品のブロック図である。
【図８】電装部品の動作タイミングを示すタイミングチャートである。
【図９】照明具の別実施例を示す正面図である。
【図１０】照明具の異なる別実施例を示す正面図である。
【図１１】照明具のさらに異なる別実施例を示す正面図である。
【図１２】照明具の他の実施例を示す側面図である。
【図１３】制御回路の別実施例を示すブロック図である。
【図１４】図１３における主な電気部品のタイミングチャートである。
【図１５】制御回路のさらに別実施例を示すタイミングチャートである。
【符号の説明】
１  ケース
２  カーリングヘッド
３  基枠
４  押圧具
５  ヒーター
６  温度センサー（サーミスター）
２５  くせ付け部
２６  押圧体
２８  電源スイッチ
３０  照明具
３１  投光口
３２  遮光キャップ
Ｒ  照射光路
【図１】
0004475482.tif 000002
【図２】
0004475482.tif 000003
【図３】
0004475482.tif 000004
【図４】
0004475482.tif 000005
【図５】
0004475482.tif 000006
【図６】
0004475482.tif 000007
【図７】
0004475482.tif 000008
【図８】
0004475482.tif 000009
【図９】
0004475482.tif 000010
【図１０】
0004475482.tif 000011
【図１１】
0004475482.tif 000012
【図１２】
0004475482.tif 000013
【図１３】
0004475482.tif 000014
【図１４】
0004475482.tif 000015
【図１５】
0004475482.tif 000016